(57)【要約】      （修正有）【課題】雨水あるいは泥砂を排出するだけで蚊や虫の侵入及び排水溝のメタン・臭気が排出することを防止することができて、環境衛生の向上を図ることのできる防蚊防臭溝蓋の構造を提供する。【解決手段】１つのカバー１０及び少なくとも１つの当て板１２を含んで構成され、カバー１０は少なくとも１つの穴あけと吹き抜け部を設置し、その下部に適正な箇所に少なくとも１つのつめ、外れ止めや固定部１１を取り付けて、それらの部分（つめ、外れ止めや固定部１１）はカバー１０と繋がって一体になっている。【選択図】図１
2012188920.tif 000002
【特許請求の範囲】
【請求項１】
防蚊・防臭の構造となり、１つのカバー及び少なくとも１つの当て板を含んで構成され、当該カバーには少なくとも１つの穴あけと吹き抜け部を加工され、その下部に適正な箇所に少なくとも１つのつめ、外れ止めや固定部を取り付けて、それらの部分（つめ、外れ止めや固定部）はカバーと繋がって一体になることができる溝蓋であって、
構成の中のもう１つの当て板は１つから数個があり、そのカバーの穴あけや吹き抜け部に取り付けられて、その当て板の片端に弾性部品とカバーを繋げたりして、その当て板の一端がカバーと一体となり、弾性部品には弾性調整の構造を別途組み立てすることができ、弾性を調整できる仕組みとなり、
上述の構成で、カバーを現有の溝蓋にある穴の上に入れて、ぴったりと穴をかぶせるようとし、つめ、外れ止めや固定部を穴の下部に固定したりして、カバーを穴口の上に固定され、当て板は通常は閉鎖状態になり、重力を受けて、雨水或いは泥砂を排出できるように開けられる仕組みで、蚊や虫の侵入及び排水溝内のメタン・臭気が排出することを防止可能であり、環境衛生の向上を図る目的を達成できる溝蓋。
【請求項２】
防蚊・防臭の構造となり、１つのカバー及び少なくとも１つの当て板を含んで構成され、当該カバーには少なくとも１つの穴あけや吹き抜け部を加工され、カバーの下部に適正な箇所に少なくとも１つのつめ、外れ止めや固定部を取り付けて、それらの部分（少なくとも１つのつめ、外れ止めや固定部）はカバーと繋がって一体になることができ、構成の中のもう１つの当て板は１つから数個がそのカバーの穴あけや吹き抜け部の所に取り付けられて、当て板は２枚構成で、彈性のある部品で、カバーを繋ぎ或いはカバーと一体になる。弾性部品には弾性調整の構造を別途組み立てすることができ、部品の弾力を調整できる仕組みとなる溝蓋であって、
上述の構成で、カバーを現有の溝蓋にある穴の上に入れて、ぴったりと穴をかぶせるようとし、つめ、外れ止めや固定部を穴の下部に固定したりして、カバーを穴口の上に固定され、２枚の当て板は通常は閉鎖状態になり、重力を受けて、雨水或いは泥砂を排出できるように開けられる仕組みで、蚊や虫の侵入及び排水溝内のメタン・臭気が排出することを防止可能であり、環境衛生の向上を図る目的を達成できる溝蓋。
【請求項３】
防蚊・防臭の構造となり、１つのカバー及び少なくとも１つの当て板を含んで構成されている。当該カバーには少なくとも１つの穴あけと吹き抜け部を加工され、その下部に適正な箇所に少なくとも１つのつめ、外れ止めや固定部を取り付けて、それらの部分（つめ、外れ止めや固定部）はカバーと繋がって一体になることができる溝蓋であって、
構成の中のもう１つの当て板は１つから数個があり、そのカバーの穴あけや吹き抜け部の所に取り付けられて、その当て板の両端に軸受部品で、カバーと繋がっており、
上述の構成で、カバーを現有の溝蓋にある穴の上に入れて、ぴったりと穴をかぶせるようとし、つめ、外れ止めや固定部を穴の下部に固定したりして、カバーを穴口の上に固定され、当て板は通常は閉鎖状態になり、重力を受けて、雨水或いは泥砂を排出できるように開けられる仕組みで、蚊や虫の侵入及び排水溝内のメタン・臭気が排出することを防止可能であり、環境衛生の向上を図る目的を達成できる溝蓋。
【請求項４】
防蚊・防臭の構造となり、１つのカバー及び少なくとも１つの当て板を含んで構成され、当該カバーには少なくとも１つの穴あけと吹き抜け部を加工され、その下部に適正な箇所に少なくとも１つのつめ、外れ止めや固定部を取り付けて、それらの部分（つめ、外れ止めや固定部）はカバーと繋がって一体になることができる溝蓋であって、
構成の中のもう１つの当て板は１つから数個があり、そのカバーの穴あけや吹き抜け部の所に取り付けられて、その当て板の片端に弾性部品とカバーを繋げたりして、その当て板の一端がカバーと一体となり、弾性部品には弾性調整の構造を別途組み立てすることができ、弾性を調整できる仕組みとなり、
上述の構成で、カバーを現有の溝口部或いは溝蓋の穴あけ内部にかぶせて或いは固定して、つめ、外れ止めや固定部を現有溝口部或いは溝蓋の穴の内部に固定して、カバーを溝口或いは溝蓋の上に固定され、当て板は通常は閉鎖状態になり、重力を受けて、雨水或いは泥砂を排出できるように開けられる仕組みで、蚊や虫の侵入及び排水溝内のメタン・臭気が排出することを防止可能であり、環境衛生の向上を図る目的を達成できる溝蓋。
【請求項５】
防蚊・防臭の構造となり、１つのカバー及び少なくとも１つの当て板を含んで構成されており、当該カバーには少なくとも１つの穴あけや吹き抜け部を加工される溝蓋であって、
構成の中のもう１つの当て板は１つから数個がそのカバーの穴あけや吹き抜け部の所に取り付けられて、当て板は２枚構成で、その当て板は弾性部品でカバーと繋がり或いはカバーと一体となり、弾性部品には弾性調整の構造を別途組み立てすることができ、部品の弾力を調整できる仕組みとなり、
カバーの下部に適正な箇所に少なくとも１つのつめ、外れ止めや固定部を取り付けて、それらの部分（少なくとも１つのつめ、外れ止めや固定部）はカバーと繋がって一体になることができる。
上述の構成で、カバーを現有の溝口部或いは溝蓋の穴あけ内部にかぶせて或いは固定して、つめ、外れ止めや固定部を現有溝口部或いは溝蓋の穴の内部に固定して、カバーを溝口或いは溝蓋の上に固定され、当て板は通常は閉鎖状態になり、重力を受けて、雨水或いは泥砂を排出できるように開けられる仕組みで、蚊や虫の侵入及び排水溝内のメタン・臭気が排出することを防止可能であり、環境衛生の向上を図る目的を達成できる溝蓋。
【請求項６】
防蚊・防臭の構造となり、１つのカバー及び少なくとも１つの当て板を含んで構成されており、当該カバーには少なくとも１つの穴あけと吹き抜け部を加工される溝蓋であって
構成の中のもう１つの当て板は１つから数個があり、そのカバーの穴あけや吹き抜け部の所に取り付けられて、当て板は２枚構成で、その当て板は弾性部品でカバーと繋がり或いはカバーと一体となり、弾性部品には弾性調整の構造を別途組み立てすることができ、部品の弾力を調整できる仕組みとなり、
カバーの下部に適正な箇所に少なくとも１つのつめ、外れ止めや固定部を取り付けて、それらの部分（少なくとも１つのつめ、外れ止めや固定部）はカバーと繋がって一体になることができ、
上述の構成で、カバーを現有の溝口部或いは溝蓋にいれて、つめ、外れ止めや固定部を片側溝口部或いは片側の溝蓋内部の穴あけに噛ませたり、固定したりしてから、カバーを片側溝口部或いは片側の溝蓋の上に固定させる、当て板は通常は閉鎖状態になり、重力を受けて、雨水或いは泥砂を排出できるように開けられる仕組みで、蚊や虫の侵入及び排水溝内のメタン・臭気が排出することを防止可能であり、環境衛生の向上を図る目的を達成できる溝蓋。
【請求項７】
防蚊・防臭の構造となり、１つのカバー及び少なくとも１つの当て板を含んで構成され、当該カバーには少なくとも１つの穴あけと吹き抜け部を加工され、カバーの適正な箇所に少なくとも１つのつめ、外れ止めや固定部を取り付けて、それらの部分（少なくとも１つのつめ、外れ止めや固定部）はカバーと繋がって一体になることができる溝蓋であって、
構成の中のもう１つの当て板は１つから数個があり、そのカバーの穴あけや吹き抜け部の所に取り付けられて、当て板は弾性部品でカバーと繋がり或いはカバーと一体となり、弾性部品には弾性調整の構造を別途組み立てすることができ、部品の弾力を調整できる仕組みとなり、
上述の構成で、カバーを現有の片側溝口部或いは片側の溝蓋にいれて、つめ、外れ止めや固定部を片側溝口部或いは片側の溝蓋の穴あけに噛ませたり、固定したりしてから、カバーを片側溝口部或いは片側の溝蓋の上に固定させる、当て板は通常は閉鎖状態になり、重力を受けて、雨水或いは泥砂を排出できるように開けられる仕組みで、蚊や虫の侵入及び排水溝内のメタン・臭気が排出することを防止可能であり、環境衛生の向上を図る目的を達成できる溝蓋。
【請求項８】
防蚊・防臭の構造となり、１つのカバー及び少なくとも１つの当て板を含んで構成され、当該カバーには少なくとも１つの穴あけや吹き抜け部を加工され、カバーの適正な箇所に少なくとも１つのつめ、外れ止めや固定部を取り付けて、それらの部分（少なくとも１つのつめ、外れ止めや固定部）はカバーと繋がって一体になることができる溝蓋であって、
構成の中のもう１つの当て板は１つから数個がそのカバーの穴あけや吹き抜け部の所に取り付けられて、当て板は２枚構成で、その当て板は弾性部品でカバーと繋がり或いはカバーと一体となり、弾性部品には弾性調整の構造を別途組み立てすることができ、部品の弾力を調整できる仕組みとなっており、
上述の構成で、カバーを現有の片側溝口部或いは片側の溝蓋にいれて、つめ、外れ止めや固定部を片側溝口部或いは片側の溝蓋の穴あけに噛ませたり、固定したりしてから、カバーを片側溝口部或いは片側の溝蓋の上に固定させる、２枚の当て板は通常は閉鎖状態になり、重力を受けて、雨水或いは泥砂を排出できるように開けられる仕組みで、蚊や虫の侵入及び排水溝内のメタン・臭気が排出することを防止可能であり、環境衛生の向上を図る目的を達成できる溝蓋。
【請求項９】
防蚊・防臭の構造となり、１つのカバー及び少なくとも１つの当て板を含んで構成されており、当該カバーには少なくとも１つの穴あけと吹き抜け部を加工され、その下部に適正な箇所に少なくとも１つのつめ、外れ止めや固定部を取り付けて、それらの部分（つめ、外れ止めや固定部）はカバーと繋がって一体になることができる溝蓋であって、
構成の中のもう１つの当て板は１つから数個があり、そのカバーの穴あけや吹き抜け部の所に取り付けられて、その当て板の両端に軸受部品で、カバーを繋がっており、
上述の構成で、カバーを現有の片側溝口部或いは片側の溝蓋にいれて、つめ、外れ止めや固定部を片側溝口部或いは片側の溝蓋の穴あけに噛ませたり、固定したりしてから、カバーを片側溝口部或いは片側の溝蓋の上に固定させる、当て板は通常は閉鎖状態になり、重力を受けて、雨水或いは泥砂を排出できるように開けられる仕組みで、蚊や虫の侵入及び排水溝内のメタン・臭気が排出することを防止可能であり、環境衛生の向上を図る目的を達成できる溝蓋。
【発明の詳細な説明】
【技術分野】
【０００１】
本発明とは溝蓋の構造に係わり、雨水或いは泥砂を排出するだけで、蚊や虫の侵入及び排水溝内のメタン・臭気が排出することを防止することができる仕組みである。
【背景技術】
【０００２】
道路上には多くの水溝を取り付けられ、雨の日に付いた大量な雨水、泥砂及び家庭汚水を排出する目的とする。但し、水溝内の環境が汚れて、蚊や虫を繁殖しやすくなり、蚊や虫は水溝の溝蓋の穴あけから進出することで、環境衛生に影響されることだけではなく、病気も発生しやすくなる。更に、水溝内のメタン・臭気も穴あけから排出して、悪臭まみれになる。
【０００３】
どのように雨水、泥砂及び家庭汚水を排出する利点を保有するのか及び、防蚊や防臭の仕組みの水溝蓋を構成できるのかは現在検討されている重要課題である。
【発明の概要】
【課題を解決するための手段】
【０００４】
長い時間で研究・開発しつつ、発明人はようやく雨水或いは泥砂を排出するだけで、蚊や虫の侵入及び排水溝内のメタン・臭気が排出することを防止することができて、環境衛生の向上を図る目的を達成できる仕組みである防蚊防臭溝蓋の構造を開発した。
【０００５】
本発明の溝蓋の防蚊・防臭構造とは１つのカバー及び少なくとも１つの当て板を含んで構成されている。当該カバーには少なくとも１つの穴あけと吹き抜け部を加工され、その下部に適正な箇所に少なくとも１つのつめ、外れ止めや固定部を取り付けて、それらの部分（つめ、外れ止めや固定部）はカバーと繋がって一体になることができる。
【０００６】
構成の中のもう１つの当て板は１つから数個があり、そのカバーの穴あけや吹き抜け部の所に取り付けられて、その当て板の片端に弾性部品とカバーを繋げたりして、その当て板の一端がカバーと一体となり、弾性部品には弾性調整の構造を別途組み立てすることができ、弾性を調整できる仕組みとなる。
【０００７】
本発明の主目的は雨水或いは泥砂を排出するだけで、蚊や虫の侵入及び排水溝内のメタン・臭気が排出することを防止することができて、環境衛生の向上を図る目的を達成できる仕組みである防蚊防臭溝蓋の構造を提供することである。
【０００８】
本発明を理解しやすいように、下記本発明の実施方法に参照されたい。
【図面の簡単な説明】
【０００９】
【図１】本発明溝蓋防蚊防臭の構造の一番目の実施例である。
【図２】本発明溝蓋防蚊防臭の構造の二番目の実施例である。
【図３】本発明溝蓋防蚊防臭の構造の三番目の実施例である。
【発明を実施するための形態】
【００１０】
図１を参照されたい。図１は本発明の溝蓋の防蚊・防臭構造の一番目の実施例である。本発明溝蓋の防蚊・防臭の構造とは１つのカバー１０及び少なくとも１つの当て板１２を含んで構成されている。当該カバー１０には少なくとも１つの穴あけと吹き抜け部を加工され、その下部に適正な箇所に少なくとも１つのつめ、外れ止めや固定部１１を取り付けて、それらの部分（つめ、外れ止めや固定部１１）はカバー２０と繋がって一体になることができる。
【００１１】
構成の中のもう１つの当て板１２は１つから数個があり、そのカバー１０の穴あけや吹き抜け部の所に取り付けられて、その当て板１２の片端に弾性部品とカバー１０を繋げたりして、その当て板１２の一端がカバーと一体となり、弾性部品には弾性調整の構造を別途組み立てすることができ、弾性を調整できる仕組みとなる。
【００１２】
上述の構成で、カバー１０を現有の溝蓋２０にある穴２１の上に入れて、ぴったりと穴２１をかぶせるようとし、つめ、外れ止めや固定部を穴２１の下部に固定したりして、カバーを穴口２１の上に固定され、当て板１２は通常は閉鎖状態になり、重力を受けて、雨水或いは泥砂を排出できるように開けられる仕組みで、蚊や虫の侵入及び排水溝内のメタン・臭気が排出することを防止可能であり、環境衛生の向上を図る目的を達成できる。
【００１３】
前述した当て板の構成はその他の２つ構造にも可能である。１つは、カバーにある穴或いは吹き抜け部の上に取り付ける当て板１３である、当て板は２枚１３１、１３２の構造であり、当該２枚の部品１３１、１３２は弾性部品でカバーと繋がり、カバーと一体となり、弾性部品には弾性調整の構造を別途組み立てすることができ、弾性を調整できる仕組みとなる。このような構成で、２枚の当て板は通常は閉鎖状態になり、重力を受けて、雨水或いは泥砂を排出できるように開けられる仕組みで、蚊や虫の侵入及び排水溝内のメタン・臭気が排出することを防止可能であり、環境衛生の向上を図る目的を達成できる。もう１つ構造はカバーにある穴或いは吹き抜け部の上に取り付ける当て板１４である。当て板１４の両側は軸承部品１４１で、カバーと繋がり、当て板１４は通常は閉鎖状態になり、重力を受けて、雨水或いは泥砂を排出できるように開けられる仕組みで、蚊や虫の侵入及び排水溝内のメタン・臭気が排出することを防止可能であり、環境衛生の向上を図る目的を達成できる。
【００１４】
図２を参照されたい。図２は本発明の溝蓋の防蚊・防臭構造の一番目の実施例である。本発明溝蓋の防蚊・防臭の構造とは１つのカバー３０及び少なくとも１つの当て板３２を含んで構成されている。当該カバー３０には少なくとも１つの穴あけと吹き抜け部３１を加工され、その当て板３２の一端に弾力部品でカバー３０と繋がり、或いはカバー３０と一体になる。
【００１５】
弾性部品には弾性調整の構造を別途組み立てすることができ、弾性を調整できる仕組みとなる。
【００１６】
カバー３０の下部に適正な箇所に少なくとも１つのつめ、外れ止めや固定部３３を取り付けて、それらの部分（少なくとも１つのつめ、外れ止めや固定部）はカバー３０と繋がって一体になることができる。
【００１７】
上述の構成で、カバー３０を現有の溝口部或いは溝蓋４０の穴あけ４１内部にかぶせて或いは固定して、つめ、外れ止めや固定部を現有溝口部或いは溝蓋４０の穴の内部に固定して、カバー３０を溝口或いは溝蓋４０の上に固定され、当て板３２は通常は閉鎖状態になり、重力を受けて、雨水或いは泥砂を排出できるように開けられる仕組みで、蚊や虫の侵入及び排水溝内のメタン・臭気が排出することを防止可能であり、環境衛生の向上を図る目的を達成できる。
【００１８】
前述した当て板の構成はその他の２つ構造にも可能である。１つは、カバー３０にある穴或いは吹き抜け部３１の上に取り付ける当て板１３である、当て板は２枚構造であり、当該２枚の部品は弾性部品でカバー３０と繋がり、カバー３０と一体となり、弾性部品には弾性調整の構造を別途組み立てすることができ、弾性を調整できる仕組みとなる。このような構成で、２枚の当て板は通常は閉鎖状態になり、重力を受けて、雨水或いは泥砂を排出できるように開けられる仕組みで、蚊や虫の侵入及び排水溝内のメタン・臭気が排出することを防止可能であり、環境衛生の向上を図る目的を達成できる。もう１つ構造はカバー３０にある穴或いは吹き抜け部３１の上に取り付ける当て板である。当て板１４の両側は軸承部品で、カバー３０と繋がり、当て板は通常は閉鎖状態になり、重力を受けて、雨水或いは泥砂を排出できるように開けられる仕組みで、蚊や虫の侵入及び排水溝内のメタン・臭気が排出することを防止可能であり、環境衛生の向上を図る目的を達成できる。
【００１９】
図３を参照されたい。図３は本発明の溝蓋の防蚊・防臭構造の一番目の実施例である。本発明溝蓋の防蚊・防臭の構造とは１つのカバー５０及び少なくとも１つの当て板５２を含んで構成されている。当該カバーには少なくとも１つの穴あけと吹き抜け部５１を加工され、その下部に適正な箇所に少なくとも１つのつめ、外れ止めや固定部を取り付けて、それらの部分（つめ、外れ止めや固定部）はカバー５０と繋がって一体になることができる。
【００２０】
構成の中のもう１つの当て板５２は１つから数個があり、そのカバー５０の穴あけや吹き抜け部５１の所に取り付けられて、その当て板５２の片端に弾性部品とカバー５０を繋げたりして、その当て板５２の一端がカバー５０と一体となり、弾性部品には弾性調整の構造を別途組み立てすることができ、弾性を調整できる仕組みとなる。
【００２１】
上述の構成で、カバー５０を現有の溝口部或いは溝蓋６０にいれて、つめ、外れ止めや固定部を片側溝口部或いは片側の溝蓋６０内部の穴あけ６１に噛ませたり、固定したりしてから、カバー５０を片側溝口部或いは片側の溝蓋６０の上に固定させる、当て板５２は通常は閉鎖状態になり、重力を受けて、雨水或いは泥砂を排出できるように開けられる仕組みで、蚊や虫の侵入及び排水溝内のメタン・臭気が排出することを防止可能であり、環境衛生の向上を図る目的を達成できる。
【００２２】
本発明の溝蓋の防蚊・防臭構造の中はカバー及び当て板に色や図案や印刷を加え、街の視覚的な景観と街の美化を向上することができる。
【００２３】
更に、より防蚊・防臭をするため、抗菌・防臭の材質も使用でき、或いは、製造材料に抗菌・防臭の材料（例えば：ナノシルバー、遠赤外線或いは活性炭などの材料）を加え、塗布する。本発明溝蓋の防蚊・防臭構造は浴室、台所、ベーナンダの排水口にも使用できる。非常に良い防蚊防臭効果がある。
【００２４】
当業者に理解されるように、本発明の好適な実施例により、本発明の溝蓋防蚊・防臭の構造を詳しく説明する。当該実施例に対する修正と変更は、例えば、カバーの形或いは材質、当て板の繋ぎ方、つめ或いは固定部の構造、或いは弾性調整の種類などの変更何れも本発明の請求の範囲の理念と範囲から逸脱しない。すなわち、本発明の理念と範囲はあらゆる改良と類似構造を包含するようにもっとも広く解釈される。
【符号の説明】
【００２５】
１０  カバー
１１つめ、外れ止めや固定部
１２当て板
２０  溝蓋
２１  穴あけ
３０  カバー
３１  穴あけ
３２  当て板
３３  つめ、外れ止めや固定部
４０  現有溝蓋
４１  穴あけ
５０  カバー
５１  穴あけ
５２  当て板
６０  現有側部溝蓋
６１  穴あけ
【図１】
2012188920.tif 000003
【図２】
2012188920.tif 000004
【図３】
2012188920.tif 000005
【外国語明細書】
2012188920000001.pdf